(57)【要約】【課題】器具本体に光源ユニットを着脱させる作業が容易であり、作業者の作業負担を軽減させることができる照明器具を提供する。【解決手段】照明器具は、一面に開口を有する凹状の器具本体と、器具本体の内部に収容される光源ユニットと、器具本体に光源ユニットをスライドさせて着脱自在に取り付けるための光源ユニット取付手段と、を備えている。光源ユニット取付手段は、器具本体に収容された光源ユニットの鉛直方向の動きを嵌合させて規制する第１規制手段と、器具本体に収容された光源ユニットの水平方向の動きを規制する第２規制手段と、を有する。【選択図】図３
2020024807.tif 000002
【特許請求の範囲】
【請求項１】
一面に開口を有する凹状の器具本体と、
前記器具本体の内部に収容される光源ユニットと、
前記器具本体に前記光源ユニットをスライドさせて着脱自在に取り付けるための光源ユニット取付手段と、を備え、
前記光源ユニット取付手段は、
前記器具本体に収容された前記光源ユニットの鉛直方向の動きを嵌合させて規制する第１規制手段と、
前記器具本体に収容された前記光源ユニットの水平方向の動きを規制する第２規制手段と、を有する、照明器具。
【請求項２】
前記第１規制手段は、
前記器具本体の内部に設けられた爪部と、
前記光源ユニットに設けられ、前記爪部を引っ掛けて嵌合する爪受部と、を有し、
前記器具本体の内部に挿入された前記光源ユニットをスライドさせることで、前記爪受部と前記爪部とが嵌合される構成である、請求項１に記載の照明器具。
【請求項３】
前記第２規制手段は、
前記器具本体の内部に設けられた弾性部材と、
前記光源ユニットに設けられ、前記弾性部材が嵌め込まれる嵌合部と、を有し、
前記器具本体の内部に挿入された前記光源ユニットをスライドさせることで、前記弾性部材と前記嵌合部とが嵌合される構成である、請求項１又は２に記載の照明器具。
【請求項４】
前記第２規制手段は、
前記光源ユニットに設けられた第１固定部と、
前記器具本体に設けられた第２固定部と、
前記第１固定部と前記第２固定部とを固定させる締結部材と、を有し、
前記器具本体に前記光源ユニットが収容され、前記第１規制手段で前記光源ユニットの鉛直方向の動きが規制された状態で、前記第１固定部と前記第２固定部とが前記締結部材で締結される構成である、請求項１又は２に記載の照明器具。
【発明の詳細な説明】
【技術分野】
【０００１】
本発明は、器具本体と該器具本体に収容される光源ユニットを備えた照明器具に関するものである。
【背景技術】
【０００２】
従来、例えばＴ字状の棒状部材を格子状に組み立てて形成されたシステム天井の被取付部材に取り付けられる照明器具が知られている。特許文献１に開示された照明器具では、一面に開口を有する凹状の器具本体と、器具本体の内側に収容される光源ユニットと、光源ユニットを器具本体に取り付けるための取付ユニットと、を有している。取付ユニット及び器具本体には、ネジ等の締結部材を挿入するための挿入孔が共通の位置に複数形成されている。この照明器具は、組み合わせた光源ユニットと取付ユニットを、器具本体の光源収容部に挿入し、取付ユニットと器具本体とをネジ止め等して組み立てられる。
【先行技術文献】
【特許文献】
【０００３】
【特許文献１】特開２０１５−１６２３６８号公報
【発明の概要】
【発明が解決しようとする課題】
【０００４】
特許文献１の照明器具は、予め組み合わせた光源ユニットと取付ユニットを、器具本体の光源収容部に挿入した後、光源ユニット及び取付ユニットを手で支えた状態で、取付ユニットに形成された複数の挿入孔と、器具本体に形成された複数の挿入孔の位置を合わせ、各挿入孔に締結部材を挿入して締結しなければならない。また、光源ユニット及び取付ユニットを器具本体から取り外すには、光源ユニット及び取付ユニットを手で支えた状態で、各挿入孔に挿入した締結部材を取り外さなければならない。つまり、特許文献１の照明器具は、光源ユニット及び取付ユニットを手で支えた状態で、複数のネジ止め等を行わなければならないので、器具本体に光源ユニットを着脱させる作業が煩雑となり、手間がかかって作業負担が大きい。
【０００５】
本発明は、上記のような課題を解決するためになされたもので、器具本体に光源ユニットを着脱させる作業が容易であり、作業者の作業負担を軽減させることができる、照明器具を提供することを目的とする。
【課題を解決するための手段】
【０００６】
本発明に係る照明器具は、一面に開口を有する凹状の器具本体と、前記器具本体の内部に収容される光源ユニットと、前記器具本体に前記光源ユニットをスライドさせて着脱自在に取り付けるための光源ユニット取付手段と、を備え、前記光源ユニット取付手段は、前記器具本体に収容された前記光源ユニットの鉛直方向の動きを嵌合させて規制する第１規制手段と、前記器具本体に収容された前記光源ユニットの水平方向の動きを規制する第２規制手段と、を有するものである。
【発明の効果】
【０００７】
本発明の照明器具によれば、第１規制手段によって光源ユニットの鉛直方向の動きを嵌合させて規制するので、ネジ等の締結部材の使用を減らすことができる。また、第１規制手段によって光源ユニットの鉛直方向の動きが規制されるので、作業者は光源ユニットを手で支えることなく、例えば締結部材の取り付け作業又は取り外し作業等を行うことができる。よって、器具本体に光源ユニットを着脱させる作業が容易となり、作業者の作業負担を軽減させることができる。
【図面の簡単な説明】
【０００８】
【図１】本発明の実施の形態１に係る照明器具を示した斜視図である。
【図２】本発明の実施の形態１に係る照明器具であって、前面パネルを取り外した状態を示した斜視図である。
【図３】本発明の実施の形態１に係る照明器具を示した分解斜視図である。
【図４】本発明の実施の形態１に係る照明器具の光源ユニットを天井面側から示した斜視図である。
【図５】本発明の実施の形態１に係る照明器具の光源ユニットを開口面側から示した分解斜視図である。
【図６】本発明の実施の形態１に係る照明器具の光源ユニット取付手段を示した要部の拡大図である。
【図７】図３に示したＡ部拡大図である。
【図８】本発明の実施の形態１に係る照明器具であって、光源ユニットを光源ユニット収容部に挿入する手前の段階を示した説明図である。
【図９】本発明の実施の形態１に係る照明器具であって、光源ユニットを光源ユニット収容部に挿入した段階を示した説明図である。
【図１０】図９に示した状態における光源ユニット取付手段を示した部分拡大図である。
【図１１】本発明の実施の形態１に係る照明器具であって、光源ユニットを光源ユニット収容部に収容させた段階を示した説明図である。
【図１２】図１１に示した状態における光源ユニット取付手段を示した部分拡大図である。
【図１３】本発明の実施の形態２に係る照明器具の光源ユニットを示した斜視図である。
【図１４】本発明の実施の形態２に係る照明器具の光源ユニット取付手段を示した要部の拡大図である。
【発明を実施するための形態】
【０００９】
以下、図面を参照して、本発明の実施の形態について説明する。なお、各図中、同一又は相当する部分には、同一符号を付して、その説明を適宜省略又は簡略化する。また、各図に記載の構成について、その形状、大きさ、及び配置等は、本発明の範囲内で適宜変更することができる。
【００１０】
実施の形態１．
図１は、本発明の実施の形態１に係る照明器具を示した斜視図である。図２は、本発明の実施の形態１に係る照明器具であって、前面パネルを取り外した状態を示した斜視図である。図３は、本発明の実施の形態１に係る照明器具を示した分解斜視図である。照明器具１００は、例えばＴ字状の棒状部材を格子状に組み立てて形成されたシステム天井の被取付部材に取り付けられ、又は天井に埋め込まれ若しくは天井に直付け等されるものである。照明器具１００は、図１〜図３に示すように、一面に開口を有する凹状の器具本体１と、器具本体１の内部に収容される光源ユニット２と、器具本体１に光源ユニット２をスライドさせて着脱自在に取り付けるための光源ユニット取付手段３と、を備えている。
【００１１】
器具本体１は、長方形状の天面部１０と、天面部１０の長手方向の縁辺に設けられた対向する１対の第１側面部１１と、天面部１０の短手方向の縁辺に設けられた対向する１対の第２側面部１２と、で構成されている。器具本体１の内部は、第２側面部１２に並行させて設けられた２つの仕切り部材１３によって、略長方形状の３つの区画に仕切られている。３つの区画のうち、両端の区画が光源ユニット２を収容する光源ユニット収容部１４ａ及び１４ｂであり、光源ユニット収容部１４ａ及び１４ｂに挟まれた中間の区画が部品収容部１４ｃである。
【００１２】
図３に示すように、光源ユニット収容部１４ａ及び１４ｂにおける器具本体１の天面部１０には、器具本体１の短手方向に沿った長方形状の通気用開口部１０ａが形成されている。通気用開口部１０ａは、被照射側である室内側と被取付側である天井側との間で空気を移動させるために形成されている。また、一方の光源ユニット収容部１４ｂには、光源ユニット２を点灯制御する電源装置１５が設けられている。電源装置１５は、例えば器具本体１に天面部１０に固定された電源収容部１５ａに収容されて、光源ユニット収容部１４ｂに設けられている。なお、電源装置１５は、部品収容部１４ｃに設けてもよい。
【００１３】
図２に示すように、部品収容部１４ｃには、端子台１６が収容されている。端子台１６は、商用電源から電力供給を受けるけるための電線が挿し込まれるものである。端子台１６は、仕切り部材１３に形成された電線用の開口部を通じて配線した電線によって、光源ユニット２及び電源装置１５に接続されている。部品収容部１４ｃは、端子台１６及びその他の部品が収容された状態で、図１に示すように、開口面が前面パネル１７で塞がれている。なお、その他の部品とは、例えばシステム天井等に取り付けるための取付部材又は電源装置１５等である。
【００１４】
図４は、本発明の実施の形態１に係る照明器具の光源ユニットを天井面側から示した斜視図である。図５は、本発明の実施の形態１に係る照明器具の光源ユニットを開口面側から示した分解斜視図である。光源ユニット２は、図４及び図５に示すように、一面に下向きの開口を有する凹状の光源本体部２０と、光源本体部２０の内部に収容された発光部２１と、光源本体部２０の開口面を塞ぐカバー２２と、図３に示した光源ユニット取付手段３の一部を構成するための脚部２３と、を備えている。
【００１５】
光源本体部２０は、光源ユニット収容部１４ａ及び１４ｂの形状と同じく、直方体形状で構成されている。光源本体部２０は、器具本体１の天面部１０に対向する平面部２０ａを有し、長手方向の一方の側面が平面部２０ａに対して略垂直に形成された垂直面部２０ｂとされ、長手方向の他方の側面が傾斜面部２０ｃとされている。傾斜面部２０ｃは、光源本体部２０の内部が開口端に向かって拡がるように傾斜させている。垂直面部２０ｂの内側面には、発光部２１が配設されている。平面部２０ａ及び傾斜面部２０ｃは、発光部２１から発光された光をカバー２２に向かって反射する反射面として機能する。光源本体部２０は、短手方向において対向する側面が、平面部２０ａに対して略垂直に設けられた端板部２０ｄで構成されている。光源本体部２０の短手方向の長さは、光源ユニット収容部１４ａ及び１４ｂの短手方向の長さよりも短い。そのため、光源ユニット２は、光源ユニット収容部１４ａ及び１４ｂに挿入した後、光源ユニット収容部１４ａ及び１４ｂの短手方向にスライドさせて目標に位置に移動させることができる。
【００１６】
発光部２１は、光源本体部２０の内側面に沿った形状の基板２１ａと、基板２１ａの表面に実装された複数の発光素子２１ｂと、を有している。発光素子２１ｂは、例えばＬＥＤ等であり、基板２１ａの長手方向に直線状に複数配置されている。なお、発光部２１は、例えば保持部材２１ｃ等を介して垂直面部２０ｂに取り付けられる。
【００１７】
カバー２２は、アクリル等の樹脂又は磨りガラス等であり、光透過性及び光拡散性を有する平板状の部材である。カバー２２は、発光部２１から発光された光が入射されて室内側に出射するものである。なお、カバー２２に入射する光には、発光部２１から発光されて傾斜面部２０ｃ及び平面部２０ａで反射された光も含まれる。光源ユニット２は、カバー２２が拡散性を有することで光を均一させることができ、光ムラを抑制することができる。なお、カバー２２は、図示した平板状に限定されず、例えば湾曲面を有していてもよい。また、カバー２２は、表面に凹凸が形成された構成でもよい。更に、カバー２２は、透明でもよいし、乳白色でもよい。
【００１８】
なお、光源ユニット２は、光源本体部２０の厚さを薄くして平たくしても、垂直面部２０ｂに設けられた長尺の発光部２１から発光された光を、平面部２０ａ及び傾斜面部２０ｃで反射させ、カバー２２で拡散して光ムラなく室内に照射させることができる。
【００１９】
脚部２３は、光源本体部２０の長手方向の両端部にそれぞれ設けられている。脚部２３は、端板部２０ｄの上縁部から光源本体部２０の平面部２０ａに対向させて延伸させた脚平面部２３ａと、脚平面部２３ａの端縁から上方に立ち上がる脚垂直面部２３ｂと、を有している。脚垂直面部２３ｂには、光源ユニット取付手段３の構成要素として爪受部４１が設けられている。また、脚平面部２３ａには、光源ユニット取付手段３の構成要素として嵌合部５１が設けられている。なお、脚部２３は、光源本体部２０と一体に形成してもよいし、別体でもよい。
【００２０】
図６は、本発明の実施の形態１に係る照明器具の光源ユニット取付手段を示した要部の拡大図である。図７は、図３に示したＡ部拡大図である。図６に示すように、光源ユニット取付手段３は、器具本体１に収容された光源ユニット２の鉛直方向の動きを嵌合させて規制する第１規制手段４と、器具本体１に収容された光源ユニット２の水平方向の動きを嵌合させて規制する第２規制手段５と、有している。第１規制手段４及び第２規制手段５は、各光源ユニット収容部１４ａ及び１４ｂに光源ユニット２を収容した状態において、光源ユニット収容部１４ａ及び１４ｂの長手方向の両端にそれぞれ設けられている。
【００２１】
第１規制手段４は、図６及び図７に示すように、器具本体１の天面部１０に設けられた爪部４０と、光源ユニット２に設けられ、爪部４０を引っ掛けて嵌合する爪受部４１と、で構成されている。第１規制手段４は、器具本体１の目標の位置に光源ユニット２が収容された状態で、爪部４０と爪受部４１とが嵌合される構成である。
【００２２】
爪部４０は、図６及び図７に示すように、第１側面部１１に沿って間隔をあけて設けられた第１爪部４０ａと第２爪部４０ｂとで構成されている。第１爪部４０ａ及び第２爪部４０ｂは、器具本体１の天面部１０を内方に切り起こして形成されている。なお、第１爪部４０ａ及び第２爪部４０ｂは、器具本体１とは別部材として成形し、器具本体１の天面部１０にネジ等の締結部材で取り付けてもよい。また、爪部４０は、図示した２つに限定されず、１つ以上あればよい。
【００２３】
爪受部４１は、第１爪部４０ａに嵌合する第１爪受部４１ａと、第２爪部４０ｂに嵌合する第２爪受部４１ｂと、で構成されている。第１爪受部４１ａは、Ｕ字状の切り欠き部４２ａを有しており、切り欠き部４２ａが第１爪部４０ａに引っ掛けられて嵌合される。第２爪受部４１ｂは、Ｕ字状の切り欠き部４２ｂを有しており、切り欠き部４２ｂが第２爪部４０ｂに引っ掛けられて嵌合される。なお、爪受部４１の個数は、爪部４０の個数に合わせて設けられる。
【００２４】
第２規制手段５は、図６に示すように、器具本体１の内部に設けられた弾性部材５０と、光源ユニット２に設けられ、弾性部材５０が嵌め込まれる嵌合部５１と、で構成されている。第２規制手段５は、器具本体１の目標の位置に光源ユニット２が収容された状態で、弾性部材５０と嵌合部５１とが嵌合される構成である。
【００２５】
弾性部材５０は、図６及び図７に示すように、第２爪部４０ｂと第２側面部１２との間に設けられている。弾性部材５０は、弾性を有する板材を略Ｌ字状に屈曲させて成形した構成である。弾性部材５０は、一端が器具本体１の天面部１０にネジ等の締結部材５０ａで締結されて固定され、他端が器具本体１の開口に向かって立ち上がる構成とされている。なお、弾性部材５０は、図示した形態に限定されず、他の形態でもよい。また、弾性部材５０は、図示した１つに限定されず、２つ以上設けてもよい。
【００２６】
嵌合部５１は、図６に示すように、脚部２３の脚平面部２３ａに形成された孔である。嵌合部５１の大きさ及び形状は、弾性部材５０の大きさ及び形状に合わせて形成されている。嵌合部５１は、図４に示すように、脚平面部２３ａのうち傾斜面部２０ｃと対向する位置に形成することが望ましい。これは、嵌合部５１と嵌合した弾性部材５０の先端が、傾斜面部２０ｃによって形成された空間に収まるので、弾性部材５０と光源本体部２０とが接触する事態を防止できるからである。なお、嵌合部５１は、図６に示した孔に限定されず、例えば上方に向かって凹ませた形状でもよい。
【００２７】
次に、図１〜図７を参照しつつ、図８〜図１２に基づいて、器具本体１へ光源ユニット２を取り付ける手順について説明する。なお、図８〜図１２では、光源ユニット２を光源ユニット収容部１４ａに収容する場合を説明するが、光源ユニット２を光源ユニット収容部１４ｂに収容する場合も同様である。
【００２８】
図８は、本発明の実施の形態１に係る照明器具であって、光源ユニットを光源ユニット収容部に挿入する手前の段階を示した説明図である。先ず、図８に示すように、光源ユニット２を光源ユニット収容部１４ａに挿入させる位置に配置する。光源ユニット２は、光源ユニット収容部１４ａに収容される位置よりも少しずらして第２側面部１２に寄った位置に配置すると共に、図６に示すように、脚部２３の脚平面部２３ａが弾性部材５０の先端に当接する位置に配置する。
【００２９】
図９は、本発明の実施の形態１に係る照明器具であって、光源ユニットを光源ユニット収容部に挿入した段階を示した説明図である。図１０は、図９に示した状態における光源ユニット取付手段を示した部分拡大図である。図９に示すように、光源ユニット２は、光源ユニット収容部１４ａに収容される位置よりも少しずらして、第２側面部１２に寄った位置に挿入される。そのため、光源ユニット２と仕切り部材１３との間には、光源ユニット２を仕切り部材１３に向かってスライドさせるための空間Ｓが設けられる。また、図１０に示すように、脚部２３の脚平面部２３ａは、弾性部材５０の先端に当接し、弾性部材５０によって器具本体１の開口面側に押圧されている。
【００３０】
図１１は、本発明の実施の形態１に係る照明器具であって、光源ユニットを光源ユニット収容部に収容させた段階を示した説明図である。図１２は、図１１に示した状態における光源ユニット取付手段を示した部分拡大図である。図１１に示すように、光源ユニット２を、図９及び図１０に示した状態から仕切り部材１３に向かってスライドさせる。すると、図１２に示すように、第１爪部４０ａと第１爪受部４１ａとが嵌合すると共に、第２爪部４０ｂと第２爪受部４１ｂとが嵌合する。また、弾性部材５０の先端部が嵌合部５１に嵌め込まれ、弾性部材５０による押圧状態が解除される。光源ユニット２は、第１爪部４０ａと第１爪受部４１ａが嵌合し、第２爪部４０ｂと第２爪受部４１ｂとが嵌合することによって、鉛直方向の動きが規制される。また、光源ユニット２は、弾性部材５０の先端部が嵌合部５１に嵌め込まれ、弾性部材５０の周縁が嵌合部５１の開口縁に突き当たることによって、水平方向の動きが規制される。
【００３１】
光源ユニット２を器具本体１から取り外す場合には、弾性部材５０を押し込んで第２規制手段５の規制状態を解除してから、光源ユニット２を第２側面部１２に向かってスライドさせて第１規制手段４を解除することにより行われる。
【００３２】
なお、図示することは省略したが、光源ユニット２と電源装置１５を電気的に接続する電線は、脚平面部２３ａ、脚垂直面部２３ｂ、第１側面部１１及び天面部１０によって囲まれた空間に配線される。つまり、当該電線は、脚垂直面部２３ｂを境に第１規制手段４を設けた位置とは反対側に配線される。よって、照明器具１００では、第１規制手段４を操作する際に当該電線の存在が邪魔にならないので、光源ユニット２を仕切り部材１３に向かってスライドさせたときに、爪受部４１に電線に引っ掛かったり、接触したりする事態を防ぐことができる。
【００３３】
以上のように、実施の形態１に係る照明器具１００は、一面に開口を有する凹状の器具本体１と、器具本体１の内部に収容される光源ユニット２と、器具本体１に光源ユニット２をスライドさせて着脱自在に取り付けるための光源ユニット取付手段３と、を備えている。光源ユニット取付手段３は、器具本体１に収容された光源ユニット２の鉛直方向の動きを嵌合させて規制する第１規制手段４と、器具本体１に収容された光源ユニット２の水平方向の動きを規制する第２規制手段５と、有する。つまり、この照明器具によれば、第１規制手段４によって光源ユニット２の鉛直方向の動きを嵌合させて規制するので、ネジ等の締結部材の使用を減らすことができる。また、第１規制手段４によって光源ユニット２の鉛直方向の動きが規制されるので、作業者は光源ユニット２を手で支えることなく、例えば締結部材の取り付け作業又は取り外し作業等を行うことができる。よって、器具本体１に光源ユニット２を着脱させる作業が容易となり、作業者の作業負担を軽減させることができる。
【００３４】
第１規制手段４は、器具本体１の内部に設けられた爪部４０と、光源ユニット２に設けられ、爪部４０を引っ掛けて嵌合する爪受部４１と、を有し、器具本体１の内部に挿入された光源ユニット２をスライドさせることで、爪部４０と爪受部４１とが嵌合される構成である。よって、実施の形態１に係る照明器具１００は、器具本体１の内部に挿入した光源ユニット２をスライドさせるだけで、爪部４０と爪受部４１とが嵌合されるので、光源ユニット２の着脱作業が容易となり、作業者の作業負担を軽減させることができる。
【００３５】
第２規制手段５は、器具本体１の内部に設けられた弾性部材５０と、光源ユニット２に設けられ、弾性部材５０が嵌め込まれる嵌合部５１と、を有し、器具本体１の内部に挿入された光源ユニット２をスライドさせることで、弾性部材５０と嵌合部５１とが嵌合される構成である。よって、実施の形態１に係る照明器具１００は、器具本体１に挿入した光源ユニット２をスライドさせるだけで、弾性部材５０と嵌合部５１とが嵌合されるので、光源ユニット２の着脱作業が容易となり、作業者の作業負担を軽減させることができる。
【００３６】
なお、実施の形態１に係る照明器具１００では、被照射側である室内側と被取付側である天井側との間で空気を移動させるために必要となる空間が設けられている。当該空間は、例えば光源ユニット２と仕切り部材１３との間に設けられる。そのため、器具本体１に挿入した光源ユニット２をスライドさせるためには、空気を移動させるために設けた空間を利用すればよい。よって、照明器具１００では、光源ユニット２をスライドさせるために別途空間を設ける必要がないので、器具本体１の寸法が大きくなることがない。
【００３７】
また、照明器具１００は、器具本体１の外面の色と、脚部２３の色とを異なる色で構成することが望ましい。例えば、器具本体１は、カラー鋼板を使用することで内面側を白色とし、外面側を灰色とすることができる。一方、脚部２３には、白色塗装が行われる。器具本体１の外面の色と、脚部２３の色とが異なると、爪受部４１が爪部４０に嵌合しているか否かの確認が容易となる。爪受部４１と爪部４０との嵌合状態の確認は、爪部４０を切り欠いて形成したときに設けられる開口を通じて、器具本体１の外面側から行うことができる。
【００３８】
実施の形態２．
次に、図１３及び図１４に基づいて、本発明の実施の形態２に係る照明器具１００を説明する。図１３は、本発明の実施の形態２に係る照明器具の光源ユニットを示した斜視図である。図１４は、本発明の実施の形態２に係る照明器具の光源ユニット取付手段を示した要部の拡大図である。なお、実施の形態１で説明した照明器具と同一の構成要素については、同一の符号を付して、その説明を適宜省略する。
【００３９】
実施の形態２に係る照明器具１００は、第２規制手段６の構成が、上記した実施の形態１における第２規制手段５の構成と異なる。その他の構成要素については、上記実施の形態１と同じである。
【００４０】
実施の形態２に係る照明器具１００の第２規制手段６は、図１３及び図１４に示すように、光源ユニット２に設けられた第１固定部６０と、器具本体１に設けられた第２固定部６２と、第１固定部６０と第２固定部６２とを固定させる締結部材６１と、を有している。第１固定部６０は、脚部２３を垂直面部２０ｂの外側に向かって延伸させた部分で構成されており、第１爪受部４１ａに隣接させて設けられている。第１固定部６０は、光源ユニット２が固定させる位置までスライドさせた際に、仕切り部材１３に突き当たる長さで形成されている。これは、脚平面部２３ａ、脚垂直面部２３ｂ、第１側面部１１及び天面部１０によって囲まれた空間に配線される電線を第１固定部６０で隠して、意匠性を向上させるためである。
【００４１】
第１固定部６０には、締結部材６１を通すための締結孔６ａが形成されている。また、第２固定部６２は、器具本体１の天面部１０に形成され、締結部材６１が締結される締結孔である。締結部材６１は、例えばネジ又はボルト等であり、第１固定部６０の締結孔６ａと第２固定部６２とに通して締結される。つまり、第２規制手段６は、器具本体１に光源ユニット２が収容され、第１規制手段４で光源ユニット２の鉛直方向の動きが規制されて仮固定された状態で、第１固定部６０と第２固定部６２とが締結部材６１で締結される構成である。なお、第２固定部６２は、図示した締結孔に限定されず、他の形態でもよい。
【００４２】
光源ユニット２を器具本体１から取り外す場合には、締結部材６１を取り外して第２規制手段６の規制状態を解除してから、光源ユニット２をスライドさせて第１規制手段４を解除することにより行われる。
【００４３】
以上のように、実施の形態２に係る照明器具１００も、第１規制手段４によって光源ユニット２の鉛直方向の動きを嵌合させて規制するので、ネジ等の締結部材の使用を減らすことができる。また、第１規制手段４によって光源ユニット２の鉛直方向の動きが規制されるので、作業者は光源ユニット２を手で支えなくても、第２規制手段５の取り付け作業又は取り外し作業を行うことができる。よって、この照明器具１００は、器具本体１に光源ユニット２を着脱させる作業が容易となり、作業者の作業負担を軽減させることができる。
【００４４】
以上に本発明を実施の形態に基づいて説明したが、本発明は上述した実施の形態の構成に限定されるものではない。例えば、照明器具１００は、壁等、天井以外の被取付部に取り付けてもよい。また、図示した器具本体１及び光源ユニット２の構成は、一例であって、他の構成要素を含んでもよい。また、器具本体１及び光源ユニット２の形状は、図示した長方形状に限定されず、例えば正方形等、他の形状でもよい。要するに、本発明は、その技術的思想を逸脱しない範囲において、当業者が通常に行う設計変更及び応用のバリエーションの範囲を含むものである。
【符号の説明】
【００４５】
１  器具本体、２  光源ユニット、３  光源ユニット取付手段、４  第１規制手段、５、６  第２規制手段、６ａ  締結孔、１０  天面部、１０ａ  通気用開口部、１１  第１側面部、１２  第２側面部、１３  仕切り部材、１４ａ、１４ｂ  光源ユニット収容部、１４ｃ  部品収容部、１５  電源装置、１５ａ  電源収容部、１６  端子台、１７  前面パネル、２０  光源本体部、２０ａ  平面部、２０ｂ  垂直面部、２０ｃ  傾斜面部、２０ｄ  端板部、２１  発光部、２１ａ  基板、２１ｂ  発光素子、２１ｃ  保持部材、２２  カバー、２３  脚部、２３ａ  脚平面部、２３ｂ  脚垂直面部、４０  爪部、４０ａ  第１爪部、４０ｂ  第２爪部、４１  爪受部、４１ａ  第１爪受部、４１ｂ  第２爪受部、４２ａ、４２ｂ  切り欠き部、５０  弾性部材、５０ａ  締結部材、５１  嵌合部、６０  第１固定部、６１  締結部材、６２  第２固定部、１００  照明器具。
【図１】
2020024807.tif 000003
【図２】
2020024807.tif 000004
【図３】
2020024807.tif 000005
【図４】
2020024807.tif 000006
【図５】
2020024807.tif 000007
【図６】
2020024807.tif 000008
【図７】
2020024807.tif 000009
【図８】
2020024807.tif 000010
【図９】
2020024807.tif 000011
【図１０】
2020024807.tif 000012
【図１１】
2020024807.tif 000013
【図１２】
2020024807.tif 000014
【図１３】
2020024807.tif 000015
【図１４】
2020024807.tif 000016